Podtech/llm-jp-corpus-v4-ja_patent huggingface dataset:
(57)【要約】【課題】銅スパッタ膜付きウェハーにネガ型レジストを製版後に電解銅めっきにより配線が形成されるが、銅スパッタ膜とレジストの密着性が悪い為、電解銅めっき中にレジストが崩れてしまい、配線の変形や配線間がショートしてしまうという問題点が発生する。信頼性向上の為にレジストの密着性を改善することが必要である。【解決手段】本発明は銅スパッタ膜とネガ型レジストの密着性向上の為、レジスト製版後のウェハーに熱処理を加えることにより、電解銅めっきを行ってもレジストが崩れなくなった。【特許請求の範囲】
【請求項１】
ウェハー上に銅スパッタ膜をつけ、その上にネガ型レジストを5μｍから120μｍ塗布後、露光・現像し、加熱処理したウェハー。
【請求項２】
ウェハー上に銅スパッタ膜をつけ、その上にネガ型レジストを5μｍから120μｍ塗布後、露光・現像し、100℃乃至120℃で5乃至20分加熱したウェハー。
【発明の詳細な説明】
【技術分野】
【０００１】
本発明は、表面処理分野に関するものである。
【背景技術】
【０００２】
ウエハレベルＣＳＰはウエハ状態でパッケージング工程を完了する方式である。基本的には、ＩＣチップ周辺部に配置されたアルミパッドから、端子の再配置技術を用いて外部端子をエリア状に転換する向上を取る。
【０００３】
ウェハー上の再配線加工は、ＩＣチップ上に絶縁膜を塗布、露光、現像（製版）後、銅スパッタ膜を付け、その上にネガ型レジストを用いて製版を行い、その後電解銅めっきを行って、配線を形成する。
【０００４】
しかし、現状では銅スパッタ膜とレジストの密着性が悪いため、電解銅めっき中にレジストが崩れてしまい、配線の変形や配線間のショートする原因となっている。  
【特許文献１】特願平11-327523
【発明の開示】
【発明が解決しようとする課題】
【０００５】
ウェハー上の再配線加工における銅スパッタ膜とレジストの密着性は重要なファクターであるが、銅スパッタ膜上にレジストを製版しただけでは密着性が不十分である。従って、密着性を向上させ、レジストが崩れなくすることが必要となった。
【課題を解決するための手段】
【０００６】
本発明は銅スパッタ膜とレジストの密着性向上の為、レジストを製版したウエハーに熱処理を加えることによりレジストの密着性を向上させた。
【発明の効果】
【０００７】
熱処理を行うことにより、銅スパッタ膜とレジストの密着性が良好になる。
【発明を実施するための最良の形態】
【０００８】
ウェハー上に再配線加工を行う工程は次のようなものである。
【０００９】
酸素アッシャーにより濡れ性を確保し、硫酸により表面の酸化膜を除去した後、フラッシュ銅めっきを行うことにより銅を厚付けする。めっき後純水による水洗を行い、アルコール乾燥を行う。銅厚付け後コーターによりレジストを塗布し、アライナーによる露光、バッチ法による現像を行い、純水による水洗、エアー乾燥を行う。レジスト製版後、100℃から120℃ 10分熱処理することにより密着性を向上させてから、電解銅めっきにより配線を形成させる。めっき後レジスト剥離、シード層剥離、純水による水洗を行い、アルコール乾燥を行う。
【実施例】
【００１０】
ウェハー上の金属膜組成は銅であり、その上にネガ型レジストを製版してから電解Ｃｕめっきを行う。
【００１１】
工程は、酸素アッシャーにより濡れ性を確保し、硫酸により表面の酸化膜を除去した後、フラッシュ銅めっきを行うことにより銅を厚付けする。めっき後純水による水洗を行い、アルコール乾燥を行う。銅厚付け後コーターによりレジストを塗布し、アライナーによる露光、バッチ法による現像を行い、純水による水洗、エアー乾燥を行う。レジスト製版後、100℃から120℃ で5分から20分熱処理することにより密着性を向上させてから、電解銅めっきにより配線を形成させる。めっき後レジスト剥離、シード層剥離、純水による水洗を行い、アルコール乾燥を行う。
【００１２】
酸素アッシャーは、300Ｗ  3分から5分の処理を行う。
【００１３】
酸活性は、10％硫酸・室温で30秒から60秒の処理を行う。
【００１４】
銅めっきは表１の組成の銅めっき液を用いて30分から120分めっきを行う。
【表１】
2006045650.tif 000002
【００１５】
ネガ型レジスト製版に使用する機材を表2に示す。
【表２】
2006045650.tif 000003
【００１６】
フラッシュ銅めっきを行ったウェハーにネガ型レジストを5μｍから120μｍ塗布し、製版を行う。
【００１７】
レジストの厚さが5μｍ以下では、電解銅めっきを行うとめっきが飛び出してしまう。またレジストの厚さが120μｍ以上になると現像を行ってもレジストが残ってしまう。
【００１８】
製版後、熱処理を行うが、熱処理条件と密着性の関係を表3乃至5に示す。
【表３】
2006045650.tif 000004
【表４】
2006045650.tif 000005
【表５】
2006045650.tif 000006
【産業上の利用可能性】
【００１９】
ウェハー上の再配線加工において、チップ周辺部に配置されたＡｌ電極から変形やショートがない銅配線を形成することにより、信頼性の高い製品を確保することが出来る。
(57)【要約】【課題】  従来、和装着用時のみに限定的に使用されていた日本古来の帯地の形状を変える事によって、洋装時の使用を可能にし、又着脱を簡便に、年齢や体型、男女の区別に関係無く、装いを美しく見せる装飾帯を提供する。【解決手段】  帯の表側と裏側に面テープを設け、帯を洋装時の腰まわりに装着する事によって、帯地の持つ美しさが洋装を引きたてる事を特長とした装飾帯である。【選択図】  図１
2006045751.tif 000002
【特許請求の範囲】
【請求項１】
帯地の表側と裏側に面テープを設け、着用の部位目的に合わせて、帯の装着角度や長短を設定し、この帯を洋装時の腰まわりに装着する事を特長とした装飾帯。
【発明の詳細な説明】
【技術分野】
【０００１】  本発明は、従来、和服着用時のみに限定的に使用されていた日本古来の帯地の型状を変えることによって、洋装時の使用を可能にし、着脱を簡便に、年齢や体型、また男女の区別に関係無く、装いを美しく見せる装飾帯である。
【背景技術】
【０００２】  従来の、日本の伝統の帯は、和服専用であった。
【発明の開示】
【発明が解決しょうとする課題】
【０００３】  その為に、次の様な問題点があった。
（イ）従来の和装の帯は、和服を着用し、その上から体に巻きつけてその後に、背中側で目的に合わせた様々な形式で結び、形を作るというものである為、帯の使用は和服着用時に限られていた。
（ロ）和服の着付けの難しさは、その殆どが帯の適切な装着の難しさにあるとも言える。その結果として、和服を着用する機会が減り、それと共に、日本の古来より伝わってきた服飾文化の一つの頂点とも言いうる帯を使用する頻度も少なくなってきた。
（ハ）和装の帯は、日本の伝統工芸品である。その工芸的価値や、その美しさは日本国内はもとより、広く海外においても多くの人々から高い評価を得ている。にもかかわらず、私達の日常の生活から遠のきがちである。
（ニ）洋装が主流の現代社会において、従来の和服専用としての帯では、洋装に対応できず、ますます我々現代人の日常生活から遠のき、即ちこのままでは、ただの日本文化の遺産、日本の伝統工芸品の一つとなってしまう。
本発明は、以上の問題点を解決しようとするものである。
【課題を解決するための手段】
【０００４】  帯地の表側と裏側に面テープを設け、着用の部位目的に合わせて、帯の装着角度や長短を設定し、この帯を洋装時の腰まわりに装着する事を特長とした装飾帯である。
【発明の効果】
【０００５】  本発明は、従来の和装用帯に対する考えを一新し、その長さや、装着の方法に工夫を加え和装用帯地の特性を生かしつつ、洋装時においても充分にその効果を発揮し、供用使用する事が出来るものである。又、装着の方法は簡便であり、性別、年齢、体型を選ばない。
【発明を実施するための最良の形態】
【０００６】  以下、本発明の実施の形態について説明する
（イ）腰部に装着する帯地（Ａ）の両端（３）と（４）及び上部（５）を開口部（９）を残して縫い合わせる。
尚、ここでいう帯地とは、織りや刺繍、染色などをもって装飾、製造されたものであり、下部を輪に二つ折りにして使用するものを言う。
（ロ）上部に開口部（１１）を設け周囲を縫った袋体のポケット（１０）を形成し、そのポケット（１０）を帯地（Ａ）の開口部（９）にストンと落して、ポケット（１０）の上辺縁（１１ａ）（１１ｂ）を帯地の上縁に装着する。装着の方法については、縫い合わせる、又は白色ボンドにて固着する。
（ハ）帯地の表側（１）の端（３）寄りに、斜め方向に面テープ（７）を設ける。同様に裏側（２）の端（４）寄りに面テープ（８）を、面テープ（７）と結合するように設ける。
本発明は、以上の構成より成っている。
本発明を使用する時は、洋装をした状態の上で、上記の帯地を腰まわりに当て任意の位置においてクロスして装着する。面テープ（７）（８）によって容易に固定できる。ポケット（１０）を設けているので、貴重品やハンカチなどの身のまわり品が収納でき、必要な時にすぐ取り出せる。本発明は長年、日本舞踊、茶道、着付け講師として深く和服に携わってきた本発明者が、日本の伝統工芸品たる帯をむしろ既成概念を外し和服以外にも活用の場を広げ、日本はもとより海外の女性のドレスアップにもその効果が発揮できるものとして発明したものである。外国人が日本の伝統服飾文化の象徴である帯を簡便に身につけることが可能となり、より日本文化を身近に感ずることができる。また本発明品は、帯の持つ適当な巾と厚みがあることから、安定感があり落ち着いた姿となる。尚図（６）に示すように、表側（１）及び裏側（２）を異なる生地をもって開口部以外の周囲を縫い合わせ、上記と同じ方法にてポケット（１０）を固着し本発明品を完成させる事が可能である。
【図面の簡単な説明】
【０００７】
【図１】本発明の斜視図
【図２】本発明の正面図
【図３】本発明の裏面図
【図４】本発明腰部のポケットの斜視図
【図５】本発明腰部ポケット装着の断面説明図
【図６】本発明の他の実施例図
【図７】本発明の実施例図
【図８】本発明の他の実施例図
【図９】本発明の他の実施例図
【符号の説明】
【０００８】  Ａ  帯地
１  表側
２  裏側
３  端
４  端
５  上部
６  下部
７  面テープ
８  面テープ
９  開口部
１０  ポケット
１１  ポケット開口部
１１ａポケット上辺縁
１１ｂポケット上辺縁
【図１】
2006045751.tif 000003
【図２】
2006045751.tif 000004
【図３】
2006045751.tif 000005
【図４】
2006045751.tif 000006
【図５】
2006045751.tif 000007
【図６】
2006045751.tif 000008
【図７】
2006045751.tif 000009
【図８】
2006045751.tif 000010
【図９】
2006045751.tif 000011
(57)【要約】      （修正有）【課題】帽子がとばされない様にするため、従来の帽子には、内側にゴム紐が付いているしかし、そのゴム紐は使う人の長さに成っていない。長すぎれば飛ばされてしまうし、短すぎれば苦しい。又、使っているうちに、ゴム紐が伸びてしまったり、切れたりした時、新たに針と糸で取り付けるのは大変である。又、お洒落な女の人や男の人は、あごゴムを付ける替りに帽子のつばと、洋服の襟の２ケ所を「帽子クリップ」で止めている。しかし、それでは風が来た時に頭から帽子が外れ易い。【解決手段】帽子の内側のゴム紐の位置にループを付ける事により、そのループにゴム紐を通し結ぶだけなので、取り付けが簡単に出来る。帽子の外側にループを付ければ、リバーシブルにもなり自分なりのお洒落が楽しめる。又、左右のループにクリップの付いた紐を通し、左右の襟にクリップで止めれば、従来よりも飛びにくく目立たず、取り付けも簡単である。尚、帽子を被っていない時は、左右のループにそれぞれのクリップを挟んでおけば邪魔ではない。【選択図】図２
2006045748.tif 000002
【特許請求の範囲】
【請求項１】
帽子の内側にループを取り付け、そのループにゴム紐を取り付けやすすくした。
【請求項２】
帽子の外側にもループを取り付ける事に依りリバーシブルの帽子にも対応出来るようにした。
【請求項３】
帽子の外側のループにはリボン、皮ひも、レース等を通す事が出来る
【請求項４】
取り付けクリップは、ループに通し易くするため、紐の片方にクリップをつけた。
【発明の詳細な説明】
【技術分野】
【０００１】本発明は、ループを帽子の内側に取り付ける事に依り、あご紐のゴムが、伸びたり、切れたりした時に、簡単にゴムの取り外し、取り付けが出来る。
［技術背景］【０００２】従来  子供の帽子、大人の帽子には帽子の内側の耳のあたりにゴム紐が縫い付けて、風に飛ばされない様になっている。【０００３】しかし、購買時ゴムの長さが、あごに合わない事が有る。又、帽子を使っているうちにゴムが伸びたり、切れたりした時、針と糸を使ってゴム紐を付け直す人は、殆どいない。そうした時、帽子をもう使わないか、不便なまま、被っているかのどちらかである。【０００４】又、現代の帽子クリップは帽子に挟む場所がないため帽子のつばと洋服の襟に挟むため２つのクリップで出来ている。
［発明の開示］
［発明が解決しようとする課題］【０００５】従来の帽子は、風に飛ばされないためのゴム紐がついているが、伸びたり、切れたりした時に、ゴム紐を取り替えるのが面倒である。又、「帽子クリップ」を挟む場所がないため、帽子のつばと洋服の襟に付けているが頭から飛びやすい。
［課題を解決するための手段］【０００６】従来の帽子のゴム紐がついている場所にループを取り付ける事に依り、ゴム紐をループに通し結ぶだけで、誰でもゴム紐の取り替え作業が楽々と簡単に出来上がる。又、従来、リバーシブルの帽子に、あごゴムは取り付けられなかったが、ループを外側、内側に同時に取り付ける事に依り解決した。【０００７】又、取り付けクリップの紐を、ループの左右に通し、それぞれのクリップを左右の洋服の襟に止める事に依って飛びにくくなる。
［発明の効果］【０００８】上記の様にループを帽子に付けることに依り、ゴム紐をそのループに通し結ぶ事が簡単に出来、個々人に合ったゴムの長さを調節する事が出来る。【０００９】又、そのあごゴムが伸びたり、切れたりした時に、ループに入っているゴムの結び目を解き、新しいゴムをループに通して結べば、糸と針もいらず、誰でも簡単に取り付ける事が出来る。【００１０】帽子の外側、内側にループを付けた場合、外側のループにはリボン、革紐、レース等を取り付ければ、他の人と違う自分だけのオリジナルの帽子が出来上がる。【００１１】紐の先にクリップを付けた取り付けクリップを左右のループそれぞれに通し、左右の襟に止める事により飛びにくく、帽子を使わない時は、そのクリップを左右のループに挟んで置けば邪魔にならない。
［発明を実施するための最良の形態］【００１２】帽子にループを取り付ける事に依り、簡単にゴム紐の取り替え、長さの調節が出来る。
［実施例１］【００１３】図１は帽子１にループ２とループ３を取り付けた図である。ゴム紐の取り付け、取り外しを簡単にした。又、ループ３には４のリボンを通しデザイン性を持たせた。
［実施例２］【００１４】図２の様にどちらが表、裏になっても２、３とループを付ける事により、どちらが裏になってもゴム紐を取り付けられリバーシブルになる。
［実施例３］【００１５】図３の、３のループにリボン、レース、革ひも等を通し自分なりの帽子が出来た図。
［実施例４］【００１６】図５は、２のループに６の紐をつけ７のクリップを取り付け、８の洋服の襟に止め風に飛ばされにくく、目立たなくした。
【図面の簡単な説明】
【００１７】［図１］
帽子の外側のループと帽子のつばをめくったところに、内側のループを付けた図である。
［図２］
帽子の内側、外側にループを取り付けリバーシブルにした図である。
［図３］
外側のループにリボン、内側にゴム紐を取り付け、後ろから見た図である。
［図４］
クリップの先に紐を取り付けた図である。
［図５］
紐をループと洋服の襟に取り付け、クリップを止めた図である。
【符号の説明】
【００１８】    １    帽子
２    ループ
３    ループ
４    リボン・レース・革
５    ゴム紐
６    紐
７    クリップ
８    洋服の襟
【図１】
2006045748.tif 000003
【図２】
2006045748.tif 000004
【図３】
2006045748.tif 000005
【図４】
2006045748.tif 000006
【図５】
2006045748.tif 000007
(57)【要約】【課題】    老朽化した水路を改修するにあたって、水路断面の縮小を抑えると共に、改修効果が長期間保持でき、出来るだけ安価な改修構造を得る。【解決手段】    既設水路壁に発泡ウレタンを吹き付け、そこにＦＲＰ等の平滑な板を貼り付けて、一定時間そのままの形を保ちながら固着させて、新しい水路とする。【選択図】  図１
2006045922.tif 000002
【特許請求の範囲】
【請求項１】
既設水路の改修で、水路の壁に発泡ウレタンを吹き付けて、裏込材兼接着剤として使い、その内側にＦＲＰ等の平滑な板を、アンカーを使わずに貼り付ける事を特徴とする改修構造。
【発明の詳細な説明】
【技術分野】
【０００１】
本発明は、農業用水路や、流雪溝、下水道などの既設水路を改修する構造に関するものである。
【背景技術】
【０００２】
従来、農業用水路や、流雪溝、下水道などの既設水路はほとんどがコンクリートで出来ており、コンクリートの劣化対策として、図６の様にその内面にＦＲＰＭ板をアンカー止めする工法が発明されてきた。しかしながら、アンカーボルトを打ち込む作業は、手間がかかるという問題があった。さらに、裏込材としてセメント系のモルタル等を充填しても、その性質上接着力には期待できず、アンカーボルトだけで既設のコンクリートと一体化させる事になる。そのため、アンカーボルトの必要本数は多くなり、貼り付ける平滑な板（ＦＲＰ板、ＦＲＰＭ板、ＦＦＵ板）３は強度を保つために厚くなり、その結果重い板を運搬したり、加工したりするという作業は、重労働になった。
【特許文献１】特開２００２−２６６３３７号公報
【発明の開示】
【発明が解決しようとする課題】
【０００３】
上記のような従来の課題を解決し、水路を早く、簡単に改修する目的で開発されたものでありながら、長期強度もあり、改修に伴う断面縮小を最小限にとどめた水路の改修構造を提供することである。
【課題を解決するための手段】
【０００４】
以上の課題を解決するために、図２の様に既設水路の内側を清掃し、そこに発泡ウレタン１を吹き付ける。１液性の発泡ウレタンは、数十分以上の時間をかけて、約２倍に膨らんで固まろうとするので、図１の様に、平滑な板（ＦＲＰ板、ＦＲＰＭ板、ＦＦＵ板）３を貼り付けて、発泡ウレタンが固まるまで図３の様に押さえておく。
【０００５】
発泡ウレタンが固まったら、重しと梁材を取り外して、図１の様な水路ができあがる。
【発明の効果】
【０００６】
以上説明したように、本発明の水路の改修構造を使うことで、施工の作業効率が大幅に上がり、平滑な板（ＦＲＰ板、ＦＲＰＭ板、ＦＦＵ板）３の厚さも薄くできることから、コストダウンをはかり得る。さらに、発泡ウレタンはコンクリートとＦＲＰやＦＲＰＭ、ＦＦＵとの接着性もあり、一体化することでその板の強度が上がる事になる。また、従来の方法では、改修に伴う断面縮小を最小限に抑えたいにもかかわらず、裏込材やシート類を入れるためにある程度の隙間を確保しなければならないという相反する問題を抱えていたが、本発明により隙間はほとんど無くてもそれが可能となった。さらに、従来の方法では、その裏込材がセメント系の材料である限り、接着力はほとんど期待できず、コンクリートや平滑な板（ＦＲＰ板、ＦＲＰＭ板、ＦＦＵ板）３とはすぐに剥離してしまう。そして、やがてできたクラックからの浸入水が凍結融解を繰り返し、それを拡大させるのに対し、発泡ウレタンは、万一浸入水があってそれが凍っても、内部に閉じこめられた空気層がクッションになり、それを拡大させることがないため、寒冷地でも長期にわたって安定した構造物となりえる。
【発明を実施するための最良の形態】
【０００７】
本発明の実施の形態を、図面を参照しながら説明する。図５の様な断面の老朽化したコンクリート製の水路があるとすると、その内側を高圧洗浄機で洗い、ゴミや水草等を洗い流す。次に不要部分をマスキングしてから、一液性発泡ウレタンを吹き付ける。もし、予想される隙間が大きいところは、２回に分けて吹き付けるように心がける。
【０００８】
次に図４に示すようなＵ形に加工したＦＲＰ板等の平滑な板（ＦＲＰ板、ＦＲＰＭ板、ＦＦＵ板）３を発泡ウレタンの上に置いて、固まるまで動かないように固定しておく。受口構造１０の部分にはシール材を塗っておき、次のＦＲＰ板との水密性を保つ様にする。
【０００９】
図８の様に発泡ウレタンが上部から溢れないように、棒状の高発泡ポリエチレン４を詰めておく。ただしウレタンの発泡圧が上がって、平滑な板（ＦＲＰ板、ＦＲＰＭ板、ＦＦＵ板）３を変形させないために、次に施工する方向は解放しておき、余分に溢れてきたら固まってから削り取るようにする。
【００１０】
図７の様に棒状高発泡ポリエチレンを取り除き、そこへシール材を充填する。以下この作業を繰り返す。
【図面の簡単な説明】
【００１１】
【図１】本発明の既設水路の改修例断面図
【図２】図１の施工中となる発泡ウレタン吹付状況断面図
【図３】図１の施工中となる重しと梁材設置例断面図
【図４】平滑な板であるＦＲＰ板をＵ形に加工した製品の側面図
【図５】標準的な既設コンクリート水路の断面図
【図６】特許文献１で示した断面図
【図７】図１の上部（シール材充填部分）詳細図
【図８】図７の棒状高発泡ポリエチレン設置状況図
【符号の説明】
【００１２】
１発泡ウレタン
２アンカーボルト
３平滑な板（ＦＲＰ板、ＦＲＰＭ板、ＦＦＵ板）
４棒状高発泡ポリエチレン
５既設水路
６重し用ポリタンク
７バタ角
８コンクリートパネル（ベニヤ板）
９桟木（タル木）
１０受口構造
１１シール材
【図１】
2006045922.tif 000003
【図２】
2006045922.tif 000004
【図３】
2006045922.tif 000005
【図４】
2006045922.tif 000006
【図５】
2006045922.tif 000007
【図６】
2006045922.tif 000008
【図７】
2006045922.tif 000009
【図８】
2006045922.tif 000010
(57)【要約】      （修正有）【課題】  従来、耐静電気対策のために、金属部品を用いて電子部品等の一部分と基板上のＧＮＤ端子を電気的に接続していた。そのため、装置形状か変わるたびに筐体等の構造変更を余儀なくされていた。【解決手段】  第１のドライバー３が実装された回路基板４と、回路基板４上に設けられたＧＮＤ端子５と、回路基板４と接続して駆動される第１の液晶パネル２からなる表示装置において、第１のドライバー３とＧＮＤ端子５を導電テープ６を使用して電気的に接続した。このような構成により、従来行っていた金属部品での耐静電気対策に代わる構造が可能となる。【選択図】  図１
2006236870.tif 000002
【特許請求の範囲】
【請求項１】
電子部品が実装された回路基板と、
前記回路基板と接続して駆動される表示素子と、
前記回路基板に設けられたＧＮＤ端子と前記電子部品を電気的に接続する導電性テープを備えることを特徴とする表示装置。
【請求項２】
電子部品が実装された表示素子と、
前記電子部品に信号を供給する回路基板と、
前記回路基板に設けられたＧＮＤ端子と前記電子部品を電気的に接続する導電性テープを備えることを特徴とする表示装置。
【請求項３】
前記導電性テープが少なくとも一方の面に粘着性を有することを特徴とする請求項１または２に記載の表示装置。
【請求項４】
前記導電性テープが前記電子部品の全体を覆うように設けられたことを特徴とする請求項３に記載の表示装置。
【請求項５】
前記表示素子の背面側に設けられた第二の表示素子を備えるとともに、前記第二の表示素子に実装された第二の電子部品と前記回路基板に形成されたＧＮＤ端子を電気的に接続する第二の導電性テープを備え、前記導電性テープが折り返されて前記ＧＮＤ端子に接続されたことを特徴とする請求項２に記載の表示装置。
【発明の詳細な説明】
【技術分野】
【０００１】
本発明は、導電性テープを使用した耐静電気強化構造を有する表示装置や電子機器に関する。
【背景技術】
【０００２】
従来、表示装置の耐静電気構造は、ケース・ハウジングに金属部品を用い、この金属部品の端点を回路基板のＧＮＤに配線される端子に機械的に接合（締結等）すること、フレキシブル基板等を介しての半田付けにより接合すること、あるいはバネに類する構造をとることで、端子との接点を設け外部より印加された静電気を回路基板上のＧＮＤ端子に接続する構造が知られている。
【発明の開示】
【発明が解決しようとする課題】
【０００３】
表示装置に金属部品で耐静電気構造を設ける場合、静電気の印加ルート、筐体の形状等に制約を受け、新たな印加ルートの検出や形状の変更が行われるたびに金属部品の形状変更を要することとなり度々多大なコスト・リードタイムが発生し、また筐体側や表示装置への構造変更を余儀なくされていた。
【課題を解決するための手段】
【０００４】
従来、金属部品がケースとして果たしていた、すなわちＩＣ・回路部品等の外周、上面に相当する箇所に導電性を含むテープを使用し、金属部品が果たしていたＧＮＤ端子への接続をテープ単一部品で行うことができるようにした。金属部品と同様の表裏いずれの面でも導通が可能であるという特性も継承する。
【発明の効果】
【０００５】
筐体や表示装置の構造に変更・負担を強いることなく、個々のケース・ニーズに合わせた最適な耐静電気構造が可能になる。製造工程やコスト・リードタイムの面で高効率化が望める。
【発明を実施するための最良の形態】
【０００６】
本発明の表示装置は、電子部品が実装された回路基板と、回路基板上に設けられたＧＮＤ端子と、回路基板と接続して駆動される表示装置と、電子部品とＧＮＤ端子を電気的に接続する導電性テープを備えている。このような構成により、従来行っていた金属部品での耐静電気対策に代わる構造が可能となる。
【０００７】
また、本発明の表示装置は、電子部品が実装された表示素子と、電子部品に信号を供給する回路基板と、回路基板に設けられたＧＮＤ端子と電子部品を電気的に接続する導電性テープを備えている。ここで、導電性テープが少なくとも一方の面に粘着性を持たせた。また、導電性テープが電子部品の全体を覆うように構成した。さらに、表示素子の背面側に設けられた第二の表示素子を備えるとともに、第二の表示素子に実装された第二の電子部品と回路基板に形成されたＧＮＤ端子を電気的に接続する第二の導電性テープを備え、導電性テープが折り返されてＧＮＤ端子に接続される構造とした。
【実施例１】
【０００８】
本発明の実施例を図１に基づいて詳細に説明する。本実施例では、第一の液晶パネル２と第二の液晶パネル１２がバックライトユニット１の表裏側にそれぞれ設けられている。各液晶パネルにはこれを駆動するドライバー、すなわち、第一のドライバー３と第二のドライバー１３がそれぞれの液晶パネル上に実装されている。そして、これらのドライバーに信号を供給するための回路基板４が設けられている。回路基板にはＧＮＤ端子が形成されている。図示するように、バックライトユニット１に設置されている第一の液晶パネル２上に実装された第一のドライバー３の周辺より回路基板４上のＧＮＤ端子５の間にかけて導電テープ６を貼付け、第一のドライバー３とＧＮＤ端子５が導通するようになっている。回路基板４はバックライトユニット１に対して第一の液晶パネルの反対側にあるが、導電テープ６を折り返して背面側にある回路基板４へ接合することができる。また、回路基板４の直上にある第二の液晶パネル１２に実装された第二のドライバー１３も、導電テープ１６によって回路基板４上のＧＮＤ端子１５に接続されている。このように、導電テープを用いて耐静電気対策を行なえば、製品ごとに異なる静電気の印加ルートやＧＮＤ端子５の位置関係に左右されること無く、表示装置へ印加される静電気がＧＮＤ端子５から開放されるように構成できる。すなわち、筐体や表示装置の構造に変更・負担を強いることなく、個々のケース・ニーズに合わせた最適な耐静電気構造が可能になる。また形状・面積の変更が金属部品と比べ容易かつ安価・短期間で行えるため、耐静電気性能強化が都度、容易に行える。また、導電テープは金属部品、箔と異なり、テープ材であるため固定に他部品を必要としないため、製造工程の大幅な簡略化も可能となる。さらにテープ自体の導通面を片面構造にすることも可能であり、用途に応じて両面構造との使い分けが可能となる。
【０００９】
上述した実施例ではＧＮＤ端子を各表示パネルに対応するように設けているが、複数の表示パネルのドライバーを一つのＧＮＤ端子に導電テープで接続するように構成しても良い。また、ドライバーの全面を覆わずに、ドライバーの金属面の一部分に導電テープを貼って、ＧＮＤ端子に接続しても良い。
【産業上の利用可能性】
【００１０】
筐体や表示装置の構造に変更・負担を強いることなく、個々のケースに合わせた最適な耐静電気構造が可能になり、また形状・面積の変更が金属部品と比べ容易かつ安価・短期間で行えるため、短納期化、低コスト化が進む電子機器産業への利用に適する。
【図面の簡単な説明】
【００１１】
【図１】本発明の液晶表示装置の外観を模式的に示す三面図である。
【符号の説明】
【００１２】
１  バックライトユニット
２  第一の液晶パネル
３  第一のドライバー
４  回路基板
５  ＧＮＤ端子
６  導電テープ
１２  第二の液晶パネル
【図１】
2006236870.tif 000003
(57)【要約】【課題】ナースコールシステムに用いられる押し釦スイッチは時に落とされ誤呼出が発生する場合がある。  押し釦が床に接触、押し釦スイッチが押された状態になる。【解決手段】そこで本発明は、落下する際に押し釦スイッチが傾いて落ちる場合が多いことに着目し、押し釦の形状を、二等辺三角形の二等辺角度内に押し釦部の断面が収まり、前記二等辺三角形の二等辺角度外に本体部の肩部がはみ出すように形成しした。すなわち、落下したさいには肩部が床にあたり、押し釦部が床に接触しないようにして課題を解決した。【選択図】図１
2006236822.tif 000002
【特許請求の範囲】
【請求項１】
押し釦部と本体部からなる押し釦スイッチを断面で見たときに、
二等辺三角形の二等辺角度内に前記押し釦部の断面が収まり、
前記二等辺三角形の二等辺角度外に本体部の肩部がはみ出すことを
特徴とする押し釦スイッチ。
【発明の詳細な説明】
【技術分野】
【０００１】
本発明は押し釦スイッチに係る。
【背景技術】
【０００２】
押し釦スイッチは開示した特許文献のようにナースコールシステムに用いられることがあり、その際には様々な使い勝手に関する考案がなされている。
【特許文献１】特開2000-084014 公報
【発明の開示】
【発明が解決しようとする課題】
【０００３】
ところで、ナースコールシステムに用いられる押し釦スイッチは時に落とされ誤呼出が発生する場合がある。  押し釦が床に接触、押し釦スイッチが押された状態になるためである。    
【課題を解決するための手段】
【０００４】
そこで本発明は、落下する際に押し釦スイッチが傾いて落ちる場合が多いことに着目し、押し釦の形状を、二等辺三角形の二等辺角度内に押し釦部の断面が収まり、前記二等辺三角形の二等辺角度外に本体部の肩部がはみ出すように形成し課題を解決する。
【発明の効果】
【０００５】
上述のように押し釦スイッチが落下する際には傾いて落ちる場合が多い、このとき、本発明の押し釦スイッチの形状では、押し釦部が床に触れず、本体部の肩部が床に当たり誤呼出を防止できる。  
【発明を実施するための最良の形態】
【０００６】
図１は本発明に係る押し釦スイッチである。患者等が握る本体部と呼び出し時に操作する押し釦部からなる。押し釦が操作されると内蔵されたスイッチ（図示せず）がＯＮして呼出が行われる。        
【０００７】
図２は本発明に係る押し釦スイッチの特徴ある形状を説明する図である。        
【０００８】
押し釦スイッチを断面で見る。押し釦部を図面上の上方向に置く。  二等辺三角形の二等辺を挟む角を頂点として図面上の上方向に且つ、断面の押し釦スイッチの中軸に合わせて重ねる。        
【０００９】
また、押し釦部の断面が二等辺三角形の内に収まるように重ねる。        
【００１０】
このときに本体部の肩部が二等辺三角形の内に収まりきらず、はみ出す形状に形成する。    
【図面の簡単な説明】
【００１１】
【図１】・・・本発明による、押し釦スイッチ
【図２】・・・従来の押し釦スイッチ
【図１】
2006236822.tif 000003
【図２】
2006236822.tif 000004
(57)【要約】      （修正有）【課題】関節などが不自由であれば、従来の押し釦スイッチは指の関節を曲げて操作するようになるので操作しずらい。特に親指の関節は大きく曲げる場合があるからである。【解決手段】そこで本発明では、押し釦とスイッチを略半球形の筐体で覆った頭部を、回動自在に握り部に取り付けたことにより、操作面を操作しやすい角度に変えられ、関節を大きく曲げることなく操作性で切るようにした。すなわち親指の腹方向に操作面を向けることにより、関節の曲げを少なくできるようにした。【選択図】図１
2006236823.tif 000002
【特許請求の範囲】
【請求項１】
握り部と前記握り部に回動自在に取付られた頭部とからなり、前記頭部は押し釦とスイッチを略半球形の筐体で覆たことを特徴とする押し釦スイッチ。
【発明の詳細な説明】
【技術分野】
【０００１】
本発明は押し釦スイッチに係る。
【背景技術】
【０００２】
押し釦スイッチは開示した特許文献のようにナースーコールシステムに用いられることがある。  また、ナースーコールシステムに用いる為に様々な工夫が考案されている。
【特許文献１】特開2000-084014 公報
【発明の開示】
【発明が解決しようとする課題】
【０００３】
ところで、指の間接などが不自由だと、従来の押し釦スイッチは操作しずらい。  すなわち、従来の押し釦スイッチでは指の間接を曲げて操作するようになる。    
【課題を解決するための手段】
【０００４】
そこで本発明は、押し釦とスイッチを略半球形の筐体で覆た頭部を、回動自在に握り部に取り付けたことにより課題を解決する。    
【発明の効果】
【０００５】
頭部が回動自在に握り部に取付られているので、操作面を操作しやすい角度に変えられ、操作性が向上する。
【発明を実施するための最良の形態】
【０００６】
握り部と頭部からなり、頭部は回動自在に握り部に取り付ける。        
【０００７】
頭部は略半球形の形をなしており、頭頂部には押し釦が操作可能に取付られている。  頭部の中にはスイッチが組み込まれており、押し釦の操作でＯＮ/ＯＦＦする。    
【図面の簡単な説明】
【０００８】
【図１】・・・本発明による押し釦スイッチ
【図２】・・・従来の押し釦スイッチ
【図１】
2006236823.tif 000003
【図２】
2006236823.tif 000004
(57)【要約】【課題】情報の保護対策を簡便に行うことができ、且つ、強固な保護機能を備えているＵＳＢ端子付小型軽量な情報保護装置を提供する。【解決手段】ＵＳＢフラッシュメモリーを格納した親指大の小型で軽量な情報保護装置をパーソナルコンピュータのＵＳＢポートに接続することにより情報の暗号化複合化が行われる。また、パーソナルコンピュータに個人等の情報を入力中に情報保護装置をパーソナルコンピュータのＵＳＢポートから抜くと、パーソナルコンピュータの表示画面に自動ロックがかかるか、もしくはログオンできない状態になる。これにより上記課題を解決する。【選択図】  図１
2006236307.tif 000002
【特許請求の範囲】
【請求項１】
ＵＳＢフラッシュメモリーを格納した情報保護装置において、予めＵＳＢフラッシュメモリーに、ＡＥＳ（Ａｄｖａｎｃｅｄ  Ｅｎｃｒｙｐｔｉｏｎ  Ｓｔａｎｄａｒｄ）（１２８ビット）による暗号化方式用ソフトおよび、パーソナルコンピュータへのログオンアカウント情報としてのユーザ名、パスワードを記録させておき、さらに、情報保護装置固有のユーザーピンナンバーを記録した情報保護装置。
【請求項２】
上記の情報保護装置はＵＳＢコネクタを有し、パーソナルコンピュータのＵＳＢポートと接続することを特徴とする。
【請求項３】
請求項目１のＵＳＢデバイスドライバー用ソフトウェアーおよび請求項目１のＵＳＢフラッシュメモリー内の情報を制御・照合するソフトウェアーをパーソナルコンピュータにセットアップために、これらのソフトウェアーを記録してあるＣＤ−ＲＯＭを有する。
【請求項４】
請求項目１を使用中のパーソナルコンピュータのＵＳＢポートから抜き取ると、パーソナルコンピュータの画面がスクリーンセイバーに切り替わり表示画面を自動ロックさせることを特徴とする。
【請求項５】
請求項目１に格納しているＵＳＢフラッシュメモリーに記録した情報により、パーソナルコンピュータのディレクトリー毎、ファイル毎に暗号化を意識することなく情報の保護をすることを特徴とする。
【請求項６】
請求項目１に格納しているＵＳＢフラッシュメモリーにグループで管理する、データを保護するために、そのグループに属する個人の請求項目１や、グループ毎の請求項目１を複数、設定ができることを特徴とする。
【発明の詳細な説明】
【技術分野】
【０００１】  本発明は、パーソナルコンピュータの情報保護に関する。
【背景技術】
【０００２】  現在、情報保護対策の観点から、大規模装置において暗号化複合化の設定と難しい操作を行う事により、パーソナルコンピュータの内部に記録されている個人情報等が外部に流失することを回避している。
【発明の開示】
【発明が解決しようとする課題】
【０００３】  しかしながら、暗号化複合化は複雑な操作をしなければならず、日常的な使用には向いていない。そして、２００５年４月に個人情報保護法の改正により個人情報の管理が重要になってきた。【０００４】  この発明は、このような状況を考慮してなされたものであり、情報の保護対策を簡便に行うことができ、且つ、強固な保護機能を備えている情報保護装置を提供することを目的とするものである。
【課題を解決するための手段】
【０００５】  この発明は、上記の目的を達成するためになされたもので、請求項目１に記載の発明は、ＵＳＢフラッシュメモリを格納した小型軽量でＵＳＢコネクタを有する情報保護装置である。【０００６】  また、請求項目４に記載の発明は、使用中のパーソナルコンピュータに接続している情報保護装置を抜き取ることにより、パーソナルコンピュータの表示画面を自動ロックすることを特徴とする。【０００７】  また、請求項目５に記載の発明は、パーソナルコンピュータのディレクトリー毎、ファイル毎に暗号化ができ、情報の保護をすることを特徴とする。【０００８】  また、請求項目６に記載の発明は、パーソナルコンピュータの情報をグループで管理する場合の、情報の保護をするための設定ができることを特徴とする。
【発明の効果】
【０００９】  以上説明したように、本発明では、情報保護装置にＵＳＢフラッシュメモリを格納することにより、親指大の小さな形状で、且つ、軽量となり、しかもパーソナルコンピュータとはＵＳＢコネクタによって着脱が自在であり、携帯用としての利便性に優れているために、ノート型パーソナルコンピュータにたいする使い勝手の面で、非常によい。パーソナルコンピュータの盗難や廃棄処分等による個人情報の流失を防ぐために、ＵＳＢフラッシュメモリ内の情報を、パーソナルコンピュータにインストールしたソフトウェアーで制御し、ファイルやフォルダー毎に、個人情報の暗号化複合化を行い、また、照合によってパーソナルコンピュータの表示画面を自動ロックすることができ、強固な保護機能を備えた情報保護装置を得ることができる。
【図面の簡単な説明】
【００１０】
【図１】この発明の一実施形態である情報保護装置の全体構成図である。
【符号の説明】
【００１１】      １０    パーソナルコンピュータ本体
１１    情報保護装置
１２    ＵＳＢフラッシュメモリ
１３    ＵＳＢコネクタ
１４    ＵＳＢフラッシュメモリ
１５    ＣＤ−Ｒ／ＲＷドライブ
１６    ＣＤ−ＲＯＭ（情報保護装置の制御・データ照合ソフトウェア）
【図１】
2006236307.tif 000003
(57)【要約】 【課題】  ＢｔｏＢコネクタを用いて回路基板とＦＰＣを接続する場合、コネクタの挿抜時にＦＰＣを掴んで行うため、コネクタの破損や、補強板の剥がれが発生した。【解決手段】  ＦＰＣの先端部分を延長し、ＢｔｏＢコネクタを挟んで存在する両側のＦＰＣを掴んで垂直に挿抜することができる構成にした。【選択図】  図１
2006236731.tif 000002
【特許請求の範囲】
【請求項１】
回路基板側ＢｔｏＢコネクタが実装された回路基板と、ＦＰＣ側ＢｔｏＢコネクタが実装されたＦＰＣを備える電子機器において、
前記ＦＰＣは前記ＦＰＣ側ＢｔｏＢコネクタを超えて形成された延長部分を備えることを特徴とする電子機器。
【請求項２】
前記延長部分と前記ＦＰＣを同時につまむことができる長さを備えることを特徴とする請求項２に記載の電子機器。
【請求項３】
前記ＦＰＣは前記ＦＰＣ側ＢｔｏＢコネクタの裏側に補強板を備え、前記延長部分は前記補強板を超えるように形成されたことを特徴とする請求項１に記載の電子機器。
【発明の詳細な説明】
【技術分野】
【０００１】
本発明は、ＢｔｏＢコネクタを使用した電子機器の構造に関する。
【背景技術】
【０００２】
従来、電子機器における基板の接続方法として、回路基板対ＦＰＣの接続にはＢｔｏＢコネクタを使用した構造が知られている。ＦＰＣの先端部分に設けた補強板の裏面にＢｔｏＢコネクタを実装し、対回路基板との接続をとるのが一般的である。
【発明の開示】
【発明が解決しようとする課題】
【０００３】
ＦＰＣの先端部分にＢｔｏＢコネクタを実装して回路基板と接続する場合、コネクタの挿抜時にＦＰＣを掴んで行うため、コネクタを垂直に抜く事が出来ずコネクタが破損する可能性があった。又、補強板部分を掴んで挿抜をする場合でも、小型電子機器だと掴みづらく補強板が剥がれる等の問題があった。
【課題を解決するための手段】
【０００４】
従来はＦＰＣの先端にコネクタを実装しているが、本発明はＦＰＣの先端部分を延長した。すなわち、ＦＰＣの先端部分を延長し、ＢｔｏＢコネクタを挟んで存在する両側のＦＰＣを掴めるように構成にした。これにより、ＦＰＣを掴んで垂直に挿抜する事が可能になる。
【発明の効果】
【０００５】
コネクタを垂直に挿抜する事が可能になる為、コネクタの破損がなくなった。又、従来よりも挿抜が容易になり作業効率も向上した。
【発明を実施するための最良の形態】
【０００６】
本発明の表示装置はＢｔｏＢコネクタが実装された回路基板と、ＢｔｏＢコネクタが実装されたＦＰＣと、ＦＰＣ・回路基板と接続して駆動される表示装置を備えており、ＦＰＣは先端部分を延長した状態である。この状態によりＦＰＣを掴んでのコネクタの挿抜が可能になる。すなわち、本発明の電子機器は、回路基板側ＢｔｏＢコネクタが実装された回路基板と、ＦＰＣ側ＢｔｏＢコネクタが実装されたＦＰＣを備えており、ＦＰＣにはＦＰＣ側ＢｔｏＢコネクタを超えて形成された延長部分が設けられている。そして、延長部分とＦＰＣを同時につまむことができる長さで形成されている。また、ＦＰＣはＦＰＣ側ＢｔｏＢコネクタの裏側に補強板を備え、延長部分が補強板を超えるように形成されている。
【実施例】
【０００７】
本発明の実施例を図1に基づいて説明する。電子機器に用いられる回路基板１上には回路基板側ＢｔｏＢコネクタ２が実装されている。一方、ＦＰＣ側ＢｔｏＢコネクタ５はＦＰＣ３に設けられた補強板４の裏面に実装されている。ＦＰＣ３のＦＰＣ側ＢｔｏＢコネクタ５を挟んで反対側にＦＰＣ延長部分６を設けている。すなわち、ＦＰＣ３はＦＰＣ側ＢｔｏＢコネクタ５を超えるように延長して形成されている。このような構成によれば、ＦＰＣ３とＦＰＣ延長部分６を掴んでコネクタを垂直に挿抜する事が可能になる。
【産業上の利用可能性】
【０００８】
今後電子機器は小型軽量化が進む事が予想され、コネクタの挿抜は更に難しくなると思われる。本発明は電子機器の小型化による影響が少ない為、小型化が進む電子機器産業への利用に適する。
【図面の簡単な説明】
【０００９】
【図１】本発明の電子機器のコネクタ部の構成を模式的に示す断面図である。
【符号の説明】
【００１０】
１  回路基板
２  回路基板側ＢｔｏＢコネクタ
３  ＦＰＣ
４  補強板
５  ＦＰＣ側ＢｔｏＢコネクタ
６  ＦＰＣ延長部分
【図１】
2006236731.tif 000003
(57)【要約】【課題】中国語文章を原文のまま日本携帯端末に表示するシステムを提供することを目的とする。【解決手段】日本携帯ユーザは、〔イ〕インターネットに接続可能な携帯端末装置である携帯電話から、中国語文章のリングを変換サーバに送信する。（ロ）または、コンテンツ提供者は事前に変換サーバ装置を使って、中国語文書を変換し、前記ユーザがアクセス可能なサーバに格納する、（ハ）または、コンテンツ提供者は変換サーバ装置を使って、中国語文書を変換し、前記ユーザに配信する。変換サーバ装置は、受信したリングにつながる中国語文章を自動的に中国語の漢字文字から日本語の漢字文字に変換し、原文のままに出力する。または、日本語漢字が対応できない文字は、ユーザの要求により、ローマ字の中国語ピンインに、または一文字として組み合わせる二文字に、または日本語漢字で対応できる同じ意味であるほかの中国語単語に変換して、出力する。【選択図】図１
2006236294.tif 000002
【特許請求の範囲】
【請求項１】
日本携帯端末装置から、中国語文章を読み込む時、または日本携帯端末装置から中国語文書を読み込む前に、または日本携帯端末装置に中国語文章を配信する前に、前記端末装置と通信可能に設けられた変換サーバ装置と、を備えた変換システムを利用して、前記中国語文章の中国語漢字文字を日本語漢字文字に変換し、日本語漢字に対応しない中国語漢字がある場合、変換システムはユーザの要求により、ローマ字で中国語ピンインに変換する、または一文字として組み合わせる二文字に変換する、または日本語漢字で対応できる同じ意味であるほかの中国語単語に変換する。変換した中国語文章は同じ意味の日本語の言語、文章に翻訳した内容ではなく、日本語の漢字で表現した中国語文章または言葉である。変換された文章を前記日本携帯端末装置に送信して、前記端末装置に簡体中国語フォントまたは繁体中国語フォントをインストールしなくでも中国語文章を表示できることを特徴とするもの。
【発明の詳細な説明】
【技術分野】
【０００１】  この発明は、中国語文章を、変更システムを利用して、中国語の漢字文字を日本語の漢字文字に変換し、そのまま原文で日本携帯端末に表示できるように関するものである。
【従来の技術および課題】
【０００２】  中国語文章を表示するには、中国語のフォントを端末にインストールが必要である。ただし、現在携帯端末のメモリが不足のため、中国語フォントをインストールことは不可能である。なお、フォントをインストールせずに表示する方法として、中国語文章をイメージデータに変換する方法も考えられるが、この場合、表示するためのデータ量が多くなってしまう。その原因で、日本携帯ユーザは、携帯端末から中国語そのままの情報を入手することができません。
【発明が解決しようとする課題】
【０００３】  本発明は、現在日本携帯上に中国語文章を表示できないことを解決するようにするものである。
【課題を解決するための手段】
【０００４】いまその解決手段を図２に追いながら説明すれば、
日本携帯ユーザは、〔イ〕インターネットに接続可能な携帯端末装置である携帯電話から、中国語文章のリングを変換サーバに送信する。（ロ）または、コンテンツ提供者は事前に変換サーバ装置を使って、中国語文書を変換し、前記ユーザ端末装置がアクセス可能なサーバに格納する、（ハ）または、コンテンツ提供者は事前に変換サーバ装置を使って、中国語文書を変換し、前記ユーザ端末装置に配信する。変換サーバ装置は、中国語文章を読み取り、変換ＤＢに該当文章に変換文字があるかチェックを行う。変換の正確度をあがるため、最初は、変換ＤＢに登録されている２文字以上の中国語を検索し、文章に変換必要な中国語漢字があれば、中国語の漢字文字から日本語の漢字文字に変換する。次は１文字の中国語漢字のチェックをする。変換必要な１文字の中国語漢字があれば、変換を行う。最後に、日本語の漢字で原文のままに出力する。また、日本語漢字が対応できない文字は、ユーザの要求により、ローマ字の中国語ピンインに、または一文字として組み合わせる二文字に、または意味同じの中国語単語且つ対応できる日本語文字に変換して、出力する。
【発明の効果】
【０００５】  本発明は以上のような構造であるから、中国語の漢字文字を日本語の漢字文字に変換し、文法は原文のままにし、携帯電話から中国語そのままの文章を読むことができるものである。
【発明を実施するための最良の形態】
【０００６】１．第１の実施形態（１）全体構成以下、本発明における一実施形態について、図面を参照して説明する。図１に、変換システムの全体構成を示す。この図において、変換サーバ装置１とユーザ端末装置である携帯電話２は、インターネット３を介して接続可能である。ここで、携帯電話２は、インターネットに接続可能であって、ウェブブラウザ機能部２ａを備えている。携帯電話２から、変換システムに中国語ウェブページのＵＲＬを送信する。変換システム１ｃは受信したＵＲＬの中国語ウェブページの漢字変換を行う。変換した結果を携帯電話２に送信する。
２．また図１に、変換サーバ装置１は中国語メールを届いたら、変換システム１ｃでメール内容を変換し、配信システム１ａを用いて変換されたメールをユーザ携帯電話２に送信する。携帯電話２ｂで受信した変換後のメールを確認する
【実施例】
【０００７】  なお、本発明の実施に当って次の如きことができる。
〔イ〕中国語ニュースを日本携帯サイトに公開することができる。
〔ロ〕中国からの中国語メールを携帯に送信することが実現できる。
【図面の簡単な説明】
【０００８】
【図１】この発明の一実施形態におけるシステム全体構成を示す図である。
【図２】「中国語の変換処理」におけるフローチャートを示す図である。
【符号の説明】
【０００９】１・・・変換サーバ装置
１ａ・・・メール配信用システム
１ｂ・・・ウェブコンテンツを格納する場所またはウェブサーバ
１ｃ・・・中国語文字変更システム
１ｄ・・・変換データベース
２・・・携帯電話（ユーザ端末装置）
２ａ・・・携帯ウェブ機能部
２ｂ・・・携帯メール機能部
３・・・インターネット
【図１】
2006236294.tif 000003
【図２】
2006236294.tif 000004